(57)【要約】      （修正有）【課題】ハーネスが外部から視認されにくく、意匠性の高い発光装飾体を提供する。【解決手段】透明の長尺体２と、前記長尺体２に配設されるＬＥＤランプと、導電性塗料からなる通電部３であって、前記長尺体２の軸方向に設けられ、前記ＬＥＤランプと通電する通電部３と、を備える発光装飾体。【選択図】図２
2009083153.tif 000002
【特許請求の範囲】
【請求項１】
透明の長尺体と、
前記長尺体に配設されるＬＥＤランプと、
導電性塗料からなる通電部であって、前記長尺体の軸方向に設けられ、前記ＬＥＤランプと通電する通電部と、
を備える発光装飾体。
【請求項２】
前記通電部は絶縁性の基体を更に備え、前記導電性塗料は該基体に塗布されており、該基体は前記長尺体に固定されている、ことを特徴とする請求項１に記載の発光装飾体。
【請求項３】
前記長尺体は円柱状であり、前記通電部の幅の大きさは前記長尺体の幅の２分の１の大きさである、ことを特徴とする請求項１又は２に記載の発光装飾体。
【請求項４】
前記ＬＥＤランプは、前記長尺体の先端部に形成された凹部に配設される、ことを特徴とする請求項１〜３のいずれか一項に記載の発光装飾体。
【発明の詳細な説明】
【技術分野】
【０００１】
本発明は光を利用した装飾体に関する。
【背景技術】
【０００２】
従来、光を利用した装飾体として様々なのもが使用されている。例えば、室内照明と装飾とを兼ねたシャンデリアが挙げられる。通常、シャンデリアは複数個の発光部から放出される光により、シャンデリア本体の装飾部を照らすとともに室内を照明する。本発明と関連のある文献を特許文献１、２として以下に開示する。
【０００３】
【特許文献１】特開２００７−３５７２５号公報
【特許文献１】特開２００６−３１６４５７号公報
【発明の開示】
【発明が解決しようとする課題】
【０００４】
通常、シャンデリアの発光部にはバルブランプが使用され、このバルブランプへ電力を供給するためのハーネスが設けられている。このようなハーネスが外部から視認されることは意匠性を低下させる。特に、発光部が複数ある場合は、使用されるハーネスも複数となり、一層見栄えが悪い。そこで、ハーネスを隠すために様々な工夫がされているが、シャンデリアは通常、透明材料で構成されるため、その存在自体を隠すことは困難であった。また、ハーネスの使用数が増えると、組み付け作業が煩雑となったり、ハーネスを設置するスペースの確保が困難となったりしていた。
そこで、本発明はハーネスが外部から視認されにくく、意匠性の高い発光装飾体を提供することを課題の一つとする。さらに組み付け作業性の高い発光装飾体を提供することを課題の一つとする。
【課題を解決するための手段】
【０００５】
以上の課題を達成するため本発明は次の構成からなる。即ち、
透明の長尺体と、
前記長尺体に配設されるＬＥＤランプと、
導電性塗料からなる通電部であって、前記長尺体の軸方向に設けられ、前記ＬＥＤランプと通電する通電部と、
を備える発光装飾体である。
【発明の効果】
【０００６】
本発明の発光装飾体では、透明の長尺体の軸方向に設けられた通電部を介して、ＬＥＤランプへ電力の供給が行われる。通電部は導電性塗料を長尺体などに塗布することで形成されるため、観察者にハーネス（通電部）が存在しないものと錯覚させるという意外性のある構成となり、高い意匠性を奏する。このように通電部は長尺体と一体的に構成されるため、従来のようにハーネスを取り回す必要がないため、組み付け時における、作業性が高く、軽量化も図られる。また、ハーネスを設置するスペースが不要であるため、省スペース化され、微細な構成の発光装飾体にも適用可能である。また、通電部の設置自由度も高い。
【発明を実施するための最良の形態】
【０００７】
（長尺体）
本発明の発光装飾体では、透明の長尺体を使用する。長尺体の材質は、透明であればとくに限定されないが、アクリル樹脂、シリコン樹脂、ガラス等を例示できる。強度、成形性、取り扱い易さなどの点からアクリル樹脂製とすることが好ましい。長尺体の形状は通常、線状であり、その断面形状は円形、楕円形や三角形、四角形、五角形、六角形などの多角形などとすることができる。長尺体の断面形状は一端から他端まで一様であって良いことはもちろん、途中で他の形状に変化させてもよい。長尺体の長さは、発光装飾体の意匠を考慮して決定される。長尺体は無色透明に限らず、有色透明であっても良い。なお、複数の長尺体を組み合わせて使用してもよい。複数の長尺体は同種であってよいことは勿論、異なる形態のものを含んでいてもよい。長尺体は途中で枝分かれした形状であっても良い。例えば、長尺体の中間部で二又に分かれていても良い。長尺体は中実であっても良いし、中空であっても良い。
【０００８】
（ＬＥＤランプ）
本発明の発光装飾体では、光源としてＬＥＤランプを使用する。ＬＥＤランプは、バルブ等の光源に比べて消費電力及び発熱量が小さくかつ長寿命であり、長時間連続的に点灯させることに適した光源である。また、小型であるため、小型化ないし薄型化、高密度実装に適する。またＬＥＤランプは振動、衝撃に強いことから、信頼性の高い装置を構成できるといった利点もある。ＬＥＤランプのタイプは特に限定されず、表面実装型、砲弾型などのＬＥＤランプを採用できる。中でも表面実装型のＬＥＤランプを採用することが好ましい。表面実装型のＬＥＤランプはより小型であるため、本発明の発光装飾体における意匠の自由度の向上に寄与するからである。
ＬＥＤランプの発光色は特に限定されず、用途に応じて、青色系ＬＥＤランプ、青緑色系ＬＥＤランプ、緑色系ＬＥＤランプ、赤色系ＬＥＤランプ等を採用できる。紫外領域の光を発光するＬＥＤランプを用いることもできる。二種類以上のＬＥＤランプを使用してもよい。例えば、赤色系ＬＥＤランプ、緑色系ＬＥＤランプ及び青色系ＬＥＤランプの３種を用いれば白色光を生成する発光装飾体を構成することができる。また、このような発光装飾体によれば、各ＬＥＤランプの発光状態、発光量を制御することによって、所望の色の光を生成することも可能である。
ＬＥＤランプは通常、長尺体の先端部に配設されるが、これに限定されず、長尺体の中間部に配設しても良い。また、長尺体の複数の部位にＬＥＤランプを配設しても良い。
【０００９】
（通電部）
本発明の発光装飾体では、長尺体の軸方向に通電部が設けられる。なお、ここでいう「長尺体の軸方向」とは、長尺体の延びる方向であって、長尺体が湾曲する場合は、各部位における縦断面の中心を繋いだ曲線に沿う方向を指す。通電部は導電性塗料によって形成される。例えば、長尺体の側面に導電性塗料を塗布、印刷することにより通電部を形成することができる。導電性塗料の材質は、銀、銅又はニッケルなどの金属粉末や炭素粉末からなる導電性フィラーを含む塗料を挙げることができる。また、導電性塗料は上記導電性フィラーを含む接着剤であっても良い。通電部は絶縁性の基体を更に備え、導電性塗料を基体に塗布し、基体を長尺体に固定することとしてもよい。このようにすれば、長尺体に対して定着性の低い導電性塗料を使用する場合であっても、導電性塗料が基体に定着していれば通電部として機能するからである。基体の材質は特に限定されず、例えば、ＡＢＳ樹脂、ポリカ−ボネート樹脂などとすることができるが、中でもＡＢＳ樹脂が好ましい。上記導電性塗料の定着性が高く、成形性に優れるからである。なお、基体を所望の色で着色しても良い。これにより意匠性が高まる。基体は通常、長尺体の軸に沿って取り付けられる。
通電部を長尺体の内側に設けることもできる。例えば、長尺体を半割りしてその合わせ面に導電性塗料を塗布し、通電部を形成することができる。
以下に本発明の実施例について説明する。
【実施例１】
【００１０】
本発明の実施例である発光装飾体１を複数個備えるシャンデリア１０の正面図を図１に示す。さらに、発光装飾体１の斜視図を図２に示し、図２におけるＡ−Ａ線断面図を図３に示す。シャンデリア１０は、室内を照明するとともに室内を装飾する装飾体としても機能する。シャンデリア１０は複数の発光装飾体１を備えている。発光装飾体１は大別して、長尺体２、通電部３及び発光部４を備える。長尺体２は、アクリル樹脂製であって、緩やかに湾曲した線状の形状を有する。長尺体２の長さは１００〜３００ｍｍである。図３に示すように、長尺体２の断面形状は半径約２０ｍｍの略円形で中実であって、上部に切り欠き部２０を有する。切り欠き部２０は長尺体２の軸方向に沿って、長尺体２の上部に連続して形成されている。該切り欠き部２０には、通電部３が嵌設される。通電部３は基体３１と、基体３１の左右側面に形成された導電性塗料層３２を備える。基体３１はＡＢＳ樹脂製で黒色であり、長尺体２の上部の切り欠き部２０に嵌合するように切り欠き部２０に沿う形状となっている。基体３１の上面３１ａは長尺体２と面一となるように曲面となっている。基体３１の幅は約１０ｍｍであり、厚みは約２．０ｍｍである。導電性塗料層３２は金属フィラーとして銀（Ａｇ）を含む導電性塗料を基体３１の左右側面にそれぞれに塗布して形成されている。導電性塗料層３２の厚みは約０．５ｍｍである。発光部４は長尺体２の先端に設けられる。発光部４はＬＥＤランプ４１を備える。ＬＥＤランプ４１は、表面実装型の白色発光ＬＥＤランプである。なお、導電性塗料層３２は長尺体２の発光部４と反対側の端部で、電源（図示せず）と電気的に接続されている。また、漏電やショートを防止するため、無色透明のアクリル樹脂により、長尺体２の側面及び基体３１の上面全体が被覆されている。
【００１１】
発光部４は長尺体２の先端に設けられる。発光部４の分解斜視図を図４に示し、長尺体２の端面の平面図を図５に示し、図４におけるＢ−Ｂ線断面図を図６に示す。図４に示すように、発光部４はＬＥＤランプ４１と、ＬＥＤランプ４１の光放出側に設けられる無色透明のシリコン製のカバー４２と、を備える。一方、図５に示すように、長尺体２の端部の中央には縦方向に伸びる溝２４が形成されている。長尺体２の端部において、縁部２５と溝２４を除く領域には、導電性塗料層３２と同一材料の導電性塗料が塗布されて導電性塗料層３３が形成されている。さらに、基体３１の側面に形成された導電性塗料層３２は長尺体２の端面に露出しており、該端面上で導電性塗料層３２と導電性塗料層３３が電気的に接続されている。導電性塗料層３３の中央付近には、凹部２２が形成されている。凹部２２はＬＥＤランプ４１よりも一回り大きい形状である。凹部２２の内側にはさらに凹部２３が形成されている。凹部２３はＬＥＤランプ４１より若干小さい。即ち、長尺体２の端部には凹部２２、２３、及び溝２４からなる三段の凹部２１が形成されている。このように構成された長尺体２の端部では、ＬＥＤランプ４１が設置されていない状態において、左右の導電性塗料層３３は中央の溝２４により分断されて、絶縁状態になっている。ＬＥＤランプ４１は導電性接着剤５を介して長尺体２の端部中央の凹部２２、２３に取り付けられる。より詳細には、図６に示すように、ＬＥＤランプ４１の電極４３が導電性接着剤５を介して凹部２２の壁面に当接するとともに、一部の導電性接着剤５が凹部２３に流れ込み、凹部２３の壁面と電極４３を接着する。一方、カバー４２の内側のＬＥＤランプ４１に対向する位置には、ＬＥＤランプ４１の形状に沿う凹部４４が形成されており、カバー４２装着時にはＬＥＤランプ４１は密閉状態に保たれる。
【００１２】
次にシャンデリア１０の発光態様を説明する。シャンデリア１０のスイッチがオンされると、電源から各発光装飾体１の導電性塗料層３２へ電流が流れる。導電性塗料層３２は長尺体２の軸方向に形成されて、長尺体２の先端のＬＥＤランプ４１と連結しており、これによりＬＥＤランプ４１へ電力が供給されて、ＬＥＤランプ４１が点灯する。ＬＥＤランプ４１の光は隣接する他の発光装飾体１を照射してシャンデリア１０自体を照らすとともに室内を照明する。このような、シャンデリア１０では、通電部３が長尺体２と一体的に構成されるため、観察者にハーネス（通電部）が存在しないものと錯覚させるという意外性のある構成となり、高い意匠性を奏する。また、別途ハーネスを必要としないため、組み付け作業性が高く、軽量化も図られる。また、ハーネスを設置するスペースが不要であるため、省スペース化されている。これにより、発光装飾体１を複数個備えるシャンデリア１０の構成が実現されている。
【００１３】
ところで、基体３１は黒色であり、その幅は長尺体２の幅の半分である。そのため、発光装飾体１を下側（基体３１が設けられる側と反対の側）から観察すると、透明体である長尺体２のレンズ効果により、長尺体２全体が基体３１の黒色を呈して観察される。一方、発光装飾体１を斜め下方、又は側方から観察すると、長尺体２全体は透明体として観察される。このように、発光装飾体１を観察する方向によって、黒色に見えたりあるいは透明に見えたりと、その見え方が変化するため、観察者に意外性を与え、高い意匠性を奏する。特にシャンデリア１０は複数個の発光装飾体１を備えるため、その見え方は観察する方向によって様々に変化することとなり、一層高い意匠性を発揮する。
なお、本実施例では基体３１が有する色である黒色を観察者に観察させることとしたが、基体３１の表面を所望の色に着色することにより観察者に所望の色を観察させることもできる。また、本実施例では、アクリル樹脂製の長尺体２に対する導電性塗料の定着性を考慮して、基体３１に導電性塗料層３２を形成して、該基体３１を長尺体２へ取り付けることとしたが、長尺体２の表面にサフェーサを吹きつけ、導電性塗料の定着性を高めることにより、長尺体２に直接導電性塗料を塗布して導電性塗料層を形成することもできる。ここで使用するサフェーサはアクリル樹脂と導電性塗料の両方に対して高い親和性を有するものであれば特に限定されない。
有色のサフェーサを使用して観察者にサフェーサの色を積極的に観察させることとしてもよい。また、長尺体２と導電性塗料層との間にサフェーサの他に、有色のインクによる着色層を形成して任意の色で観察されるようにしても良い。
本実施例では導電性塗料層３２を基体３１の左右の側面に形成したが、これに限定されず、基体３１の上面に形成しても良い。導電性塗料層３２を基体３１の上面に形成すれば、発光装飾体１を下側から観察したときに透明である長尺体２を介して、導電性塗料層３２が視認されず、基体３１のみが観察されることとなるため、見栄えが良い。
【００１４】
発光装飾体１において、ＬＥＤランプ４１は長尺体２の端部の凹部２２、２３へ導電性接着材５により固定されている。凹部２３はＬＥＤランプ４１よりも若干小さいため、凹部２２にＬＥＤランプ４１を嵌設すると凹部２３は空隙となるが、この空隙となる凹部２３には、ＬＥＤランプ４１取り付け時において、ＬＥＤランプ４１を固定する導電性接着材５のうち、余分な導電性接着材５が流れ込む。即ち、凹部２３は導電性接着材５の「逃げの空間」として機能する。これにより、過剰に導電性接着材５を使用した場合であっても、凹部２３へ余分な導電性接着材５が流れ込むことで、長尺体２の端部の表面側に余分な導電性接着材５が溢れ出ることが防止される。さらに、凹部２３にＬＥＤランプ４１が嵌設されるため、位置決めが容易となり、組み付け作業性が高い。
【産業上の利用可能性】
【００１５】
本発明は室内照明装置や光を利用する装飾体などに適用可能である。
【００１６】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
本明細書の中で明示した論文、公開特許公報、及び特許公報などの内容は、その全ての内容を援用によって引用することとする。
【図面の簡単な説明】
【００１７】
【図１】図１は本発明の実施例である発光装飾体１を複数個備えるシャンデリア１０の正面図である。
【図２】図２は本発明の実施例である発光装飾体１の斜視図である。
【図３】図３は図２におけるＡ−Ａ線断面図である。
【図４】図４は発光部４の分解斜視図である。
【図５】図５は長尺体２の端面の平面図である
【図６】図６は図４におけるＢ−Ｂ線断面図である。
【符号の説明】
【００１８】
１  発光装飾体
２  長尺体
２２、２３、４４  凹部
２４  溝
２５  縁部
３  通電部
３１  基体
３２、３３  導電性塗料層
４  発光部
４１  ＬＥＤランプ
４２  カバー
４３  電極
５  導電性接着材
【図１】
2009083153.tif 000003
【図２】
2009083153.tif 000004
【図３】
2009083153.tif 000005
【図４】
2009083153.tif 000006
【図５】
2009083153.tif 000007
【図６】
2009083153.tif 000008